【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
消費者の基本顔画像の範囲内で製品適用範囲を特定すること、なお、基本顔画像は画素色値及び画素明度を含み、特徴的なハイライト（明るい部分）とシャドウ（暗い部分）があり；
変更された顔画像の製品適用範囲を実質的にカバーする製品において、変更された顔画像を生成する一方で、製品の色彩明度に基づき、また、基本顔画像の画素明度の統計に基づき、製品適用範囲内でイコライズする画素明度を構成する基本顔画像の特徴的なハイライト（明るい部分）とシャドウ（暗い部分）を維持すること；
から成る消費者の画像上にメーキャップ及び／又はファッションアクセサリー製品等の外観を再現するシミュレーション方法。
【請求項２】
複数製品の各々の外観情報を含む製品のデータベースを作成すること；
複数の画素から成る前記消費者の前記基本画像を取得すること；
前記製品適用範囲は前記基本画像の画素セットで定義されていること；
消費者から製品の選択を受け取ること；
選択された前記製品に関連した外観情報を前記データベースから呼び出すこと；
選択製品の外観情報に応じて、前記製品適用範囲の画素の外観情報を変更し、これにより変更された画像を生成すること；
前記変更された画像の画素の外観情報に応じて、かつ前記基本画像の関連画素の外観情報に応じて、前記製品適用範囲の画素の外観情報を指定することにより、前記変更された画像を前記基本画像と混合すること、それにより、合成画像を生成し、製品適用範囲は前記製品の外観情報に実質的にカバーされ、かつ、実質的に基本画像のハイライト（明るい部分）とシャドウ（暗い部分）に対応すること；及び
合成画像を表示すること； 
から更に成る請求項１に記載の方法。
【請求項３】
前記製品適用範囲の画素に対してアルファチャンネル値を割り当てること；及び
前記混合において、前記製品適用範囲の画素のアルファ値に応じて、前記変更された画像の関連画素の外観情報及び前記基本画像の画素の前記外観情報との配分比重を定めること；
から更に成る請求項１又は２に記載の方法。
【請求項４】
前記混合において、前記基本画像の画素の外観情報を、前記選択製品の外観情報に反比例して配合することから更に成る請求項１から３のいずれかに記載の方法。
【請求項５】
前記混合において、前記製品適用範囲の画素の赤の色値（Ｒｃ）、緑の色値（Gｃ）及び青の色値（Bｃ）は、次の式でそれぞれ決定され（＊符号は掛けるを表す），
Ｒｃ ＝ ［Ｒｂ＊Ａｌｐｈａ＋Ｒｐ＊（ＵｐｐｅｒＬｉｍｉｔ−Ａｌｐｈａ）］／ＵｐｐｅｒＬｉｍｉｔ、
Gｃ ＝
［Gｂ＊Ａｌｐｈａ＋Gｐ＊（ＵｐｐｅｒＬｉｍｉｔ−Ａｌｐｈａ）］／ＵｐｐｅｒＬｉｍｉｔ、及び
Bｃ ＝
［Bｂ＊Ａｌｐｈａ＋Bｐ＊（ＵｐｐｅｒＬｉｍｉｔ−Ａｌｐｈａ）］／ＵｐｐｅｒＬｉｍｉｔ、
但し、
Ｒｂ、Ｇｂ、Ｂｂは、前記基本画像に於ける画素のそれぞれ赤、緑、青の色値で、
Ｒｐ、Ｇｐ、Ｂｐは、前記変更された画像に於ける関連画素のそれぞれ赤、緑、青の色値で、
Ａｌｐｈａは前記製品適用範囲に於ける関連画素のアルファ値で、
ＵｐｐｅｒＬｉｍｉｔはアルファ値の予め定めた上限値である；
ことから更に成る請求項１から４のいずれかに記載の方法。
【請求項６】
前記製品適用範囲の画素の前記変更された外観特性は、
前記製品適用範囲の画素の色相と彩度の外観値を、それぞれ前記選択製品の色相と彩度の外観値と等しくすること；
製品適用範囲内側の複数の基本画像画素の明度外観値と、前記製品適用範囲外側の複数の画素の明度外観値とに応じて、前記製品適用範囲の画素の明度外観値を割り当てること；
から更に成る請求項１から５のいずれかに記載の方法。
【請求項７】
基本画像画素の前記変更外観情報に於いて、実質的に前記基本画像の総ての画素の明度外観値に応じて、前記製品適用範囲の画素の明度外観値を割り当てることから成る請求項１から６のいずれかに記載の方法。
【請求項８】
更に前記製品適用範囲の画素の明度外観値を割り当てる前記ステップに於いて、次の関数を採用して成る（＊符号は掛けるを表す）；
Ｉｏｕｔ＝Ａ ＊ Ｉｉｎ  ＋  Ｂ
但し、
Ｉｏｕｔは変更された画像の画素の明度の値で、上限２５５と下限０の範囲内にあり、
Ｉｉｎは、基本画像画素の製品適用範囲の関連画素の明度の値で、上記と同様の上限と下限の範囲内にあり、
Ａは本関数の傾きであり、ガウス分布関数によって以下のように算定される；
Ａ  ＝  ｅｘｐ（−０．５  ＊  （Ｉｃｏｌｏｒ−Ｉｍｅａｎ）２／Ｉｓｔｄｅｖ２）
但し、
Ｉｃｏｌｏｒは選択される製品の外観情報の色の明度値で、
Ｉｍｅａｎは製品適用範囲に於ける基本画像画素の明度平均値で
Ｉｓｔｄｅｖは製品適用範囲に於ける基本画像画素の明度の偏差値であり、
Ｂは、ＩｉｎとＩｏｕｔの値をそれぞれＩｍｅａｎとＩｃｏｌｏｒと等しくすることによって算定される定数である；
ことから成る請求項１から７のいずれかに記載の方法。
【請求項９】
アクセサリ製品の画像と、その各画像に関連したアンカーポイントとを含むデータベースを作成すること；
複数の画素から成る前記基本画像、前記消費者の前記基本画像を取得すること；
アクセサリ製品の画像を配置するために基本画像のアンカーポイントを定めること；
基本画像内に見える前記消費者の体部分の画素サイズに応じて基本画素のサイズ係数を算出すること；
前記基本画像内の体部分の向きに応じて基本画像の回転係数を算出すること；
前記消費者からのアクセサリ製品の選択を受け取ること；
前記アクセサリ製品の選択に関連した前記データベースから製品画像を呼び出すこと；
前記製品画像のサイズを前記基本画像のサイズ係数に応じて調整すること；
前記製品画像の向きを前記基本画像の回転係数に応じて調整すること；
前記製品画像のアンカーポイントを前記基本画像のアンカーポイントに実質的合わせて、前記基本画像とその上に合成した製品画像との合成画像を生成すること、及び前記合成画像が実質的に前記基本画像のハイライト（明るい部分）とシャドウ（暗い部分）を維持すること；
消費者が前記製品画像のサイズ又は向きを調整し得る手段を設けること；
前記製品画像のサイズ又は向きを調整し、消費者からの調整指示の受信に応答して調整後の合成画像を生成すること；
から成る請求項１から８のいずれかに記載の方法。
【請求項１０】
前記製品画像の画素にアルファチャンネル値を割り当てること；
割り当てられたアルファ値を有する前記製品画像の画素を、前記アルファ値に応じて前記基本画像の画素と混合すること；
から更に成る請求項１から９のいずれかに記載の方法。
【請求項１１】
前記アルファ値の結果、前記製品画像の一部範囲は実質的に完全に透明になり、前記製品画像の一部範囲は半透明であることから更に成る請求項１から１０のいずれかに記載の方法。
【請求項１２】
合成画像を前記消費者に配布することから更に成る請求項１から１１のいずれかに記載の方法。
【請求項１３】
前記製品適用範囲内に別の製品を表示する為の手段が設けられていることから更に成る請求項１から１２のいずれかに記載の方法。
【請求項１４】
選択された前記製品のサンプルを前記合成画像とともに配布することから成る請求項１から１３のいずれかに記載の方法。
【請求項１５】
第一のユーザシステムと第二のユーザーシステムとを、ネットワークを介して相互接続すること；
第一のユーザから製品選択を受信すること；
第一のユーザによって選択された前記製品を含む合成画像を前記第一と第二のユーザシステムとに表示すること；
から更に成る請求項１から１４のいずれかに記載の方法。
【請求項１６】
前記製品は、メーキャップ製品であること；
前記顔画像を変更する前記ステップは、前記変更された顔画像を生成し、メーキャップ製品の色彩は実質的に変更された顔画像の製品適用範囲内をカバーする一方で、基本顔画像の特徴的なハイライト（明るい部分）とシャドウ（暗い部分）を維持すること、基本顔画像の画素明度の統計及びメーキャップ製品の色彩明度とに基づき、製品適用範囲内の画素明度を均等化すること；
から更に成る請求項１から１５のいずれかに記載の方法。
【請求項１７】
製品適用範囲の混合領域のアルファ値に応じて、メーキャップ製品の色彩と合成された、変更された顔画像が一体化する顔画像を生成することから更に成る請求項１から１６のいずれかに記載の方法。
【請求項１８】
前記合成された基本顔画像を生成することが、メーキャップ製品の適用レベルに応じて混合領域のアルファ値を調整することから更に成る請求項１から１７のいずれかに記載の方法。
【請求項１９】
前記アルファ値を調整することが、適用レベルに対応するオフセット値に応じてアルファ値を変更することから更に成る請求項１から１８のいずれかに記載の方法。
【請求項２０】
適用レベル、製品、顔画像の選択を受信することから更に成る請求項１から１９のいずれかに記載の方法。
【請求項２１】
前記選択された製品が画素明度及び画素色値を含むファッションアクセサリーの画像に表されるファッションアクセサリーであること；
製品適用範囲を特定する前記ステップにおいて、製品適用範囲が前記ファッションアクセサリーの画像に表されるファッションアクセサリーを着用するためのものであること；
から更に成る請求項１から２０のいずれかに記載の方法。
【請求項２２】
基本画像の特徴的統計に応じてファッションアクセサリーの画像の向きやサイズを調整することから更に成る請求項１から２１のいずれかに記載の方法。
【請求項２３】
製品適用範囲の混合領域のアルファ値に応じて、変更された画像とファッションアクセサリーの画像とを合成することによって合成画像を生成することから更に成る請求項１から２２のいずれかに記載の方法。
【請求項２４】
基本画像とファッションアクセサリーの選択を受信することから更に成る請求項１から２３のいずれかに記載の方法。
【請求項２５】
前記製品が外見美容製品であることから更に成る請求項１から２４のいずれかに記載の方法。
【請求項２６】
消費者の基本顔画像の範囲内の製品の製品適用範囲を特定するために予め処理された画像、画素色値と画素明度を含み、特徴的なハイライト（明るい部分）とシャドウ（暗い部分）がある基本顔画像であること；及び
製品が実質的に変更された顔画像の製品適用範囲をカバーする一方で、基本顔画像の特徴的なハイライト（明るい部分）とシャドウ（暗い部分）を維持し、基本顔画像の画素明度の統計及び製品の色彩明度とに基づいて、製品適用範囲内の画像明度を均等化する画素イコライザーを備える、変更された顔画像を生成するための画像変更を行うものであること；
から成る消費者の顔に適用するメーキャップ及び／又はファッションアクセサリー製品等の外観を写実的に再現シミュレーションする仮想システム。
【請求項２７】
製品がメーキャップ製品であること；及び
メーキャップ製品の色彩が実質的に変更された顔画像の製品適用範囲をカバーする一方で、基本顔画像の特徴的なハイライト（明るい部分）とシャドウ（暗い部分）を維持し、基本顔画像の画素明度の統計及び製品の色彩明度とに基づいて、製品適用範囲内の画像明度を均等化する画素イコライザーを備える、変更された顔画像を生成することができる画像変更を行うものであること；
から更に成る請求項２６に記載のシステム。
【請求項２８】
製品適用範囲の混合領域のアルファ値に応じて、変更された顔画像とメーキャップ製品の色彩を重ね合わせることにより合成された顔画像を生成するメーキャップ合成を行うものであることから更に成る請求項２６又は２７に記載のシステム。
【請求項２９】
メーキャップ合成を行うものにおいて、メーキャップ製品の適用レベルに応じて混合領域のアルファ値を調整する適用レベルアジャスターから更に成る請求項２６から２８のいずれかに記載のシステム。
【請求項３０】
適用レベルに対応するオフセット値に応じてアルファ値を変更する、前記適用レベルアジャスターから更に成る請求項２６から２９のいずれかに記載のシステム。
【請求項３１】
基本顔画像、メーキャップ製品及び適用レベルを選択するためのユーザーインターフェイスから更に成る請求項２６から３０のいずれかに記載のシステム。
【請求項３２】
前記製品が画素色値及び画素明度を含むファッションアクセサリー画像に表されるファッションアクセサリー製品であること；
前記製品適用範囲が前記ファッションアクセサリー画像に表されるファッションアクセサリーを着用するためのものであること；
から更に成る請求項２６から３1のいずれかに記載のシステム。
【請求項３３】
基本画像の特徴的統計に応じてファッションアクセサリー画像の向きやサイズを調整するファッションアクセサリーアジャスターから更に成る請求項２６から３２のいずれかに記載のシステム。
【請求項３４】
製品適用範囲の混合領域のアルファ値に応じて、変更された画像をファッションアクセサリー画像と合成することによって合成画像を生成するための合成画像生成するものから更に成る請求項２６から３３のいずれかに記載のシステム。
【請求項３５】
基本画像及びファッションアクセサリーを生成するための合成画像生成するものから更に成る請求項２６から３４のいずれかに記載のシステム。
【請求項３６】
前記製品適用範囲の画素の前記変更された外観特性に於いて、
前記選択製品の色相と彩度の外観値と等しい前記製品適用範囲の画素の色相と彩度の外観値を割り当てること；及び
製品適用範囲内側の複数の基本画像画素の明度外観値と、前記製品適用範囲外側の複数の画素の明度外観値とに応じて、前記製品適用範囲の画素の明度外観値を割り当てること；
から更に成る請求項２６から３５に記載のシステム。
【請求項３７】
基本画像画素の前記変更外観情報に於いて、実質的に前記基本画像画素の総ての明度外観値に応じて前記製品適用範囲の画素の明度外観値を割り当てることから成る請求項２６から３６のいずれかに記載のシステム。
【請求項３８】
更に前記製品適用範囲の画素の明度外観値を割り当てる前記ステップに於いて、次の関数を採用して成る（＊符号は掛けるを表す）；
Ｉｏｕｔ＝Ａ ＊ Ｉｉｎ  ＋  Ｂ
但し、
Ｉｏｕｔは変更された画像の画素の明度値で、上限２５５と下限０の範囲内にあり、
Ｉｉｎは、基本画像画素の製品適用範囲の関連画素の明度の値で、上記と同様の上限と下限の範囲内にあり、
Ａは本関数の傾きであり、ガウス分布関数によって以下のように算定される；
Ａ  ＝  ｅｘｐ（−０．５  ＊  （Ｉｃｏｌｏｒ−Ｉｍｅａｎ）２／Ｉｓｔｄｅｖ２）
但し、
Ｉｃｏｌｏｒは選択される製品の外観情報の色の明度値で、
Ｉｍｅａｎは製品適用範囲に於ける基本画像画素の明度の平均値で、
Ｉｓｔｄｅｖは製品適用範囲に於ける基本画像画素の明度の偏差値であり、
Ｂは、ＩｉｎとＩｏｕｔの値をそれぞれＩｍｅａｎとＩｃｏｌｏｒと等しくすることによって算定される定数である；
ことによって成る請求項２６から３７のいずれかに記載のシステム。
【請求項３９】
前記製品適用範囲の画素に対してアルファチャンネル値を割り当てること；及び、
前記合成が前記製品適用範囲の画素のアルファ値に応じて、前記変更された画像の関連画素の外観情報及び前記基本画像の画素の前記外観情報との配分比重を定めることを含むこと；
から更に成る請求項２６から３８に記載のシステム。
【請求項４０】
前記混合において、前記基本画像の画素の外観情報を、前記選択製品の外観情報に反比例して配合することから更に成る請求項２６から３９のいずれかに記載のシステム。
【請求項４１】
前記混合において、前記製品適用範囲の画素の赤の色値（Ｒｃ）、緑の色値（Gｃ）及び青の色値（Bｃ）は、次の式でそれぞれ決定され（＊符号は掛けるを表す），
Ｒｃ ＝ ［Ｒｂ＊Ａｌｐｈａ＋Ｒｐ＊（ＵｐｐｅｒＬｉｍｉｔ−Ａｌｐｈａ）］／ＵｐｐｅｒＬｉｍｉｔ、
Gｃ ＝
［Gｂ＊Ａｌｐｈａ＋Gｐ＊（ＵｐｐｅｒＬｉｍｉｔ−Ａｌｐｈａ）］／ＵｐｐｅｒＬｉｍｉｔ、及び
Bｃ ＝
［Bｂ＊Ａｌｐｈａ＋Bｐ＊（ＵｐｐｅｒＬｉｍｉｔ−Ａｌｐｈａ）］／ＵｐｐｅｒＬｉｍｉｔ、
但し、
Ｒｂ、Ｇｂ、Ｂｂは、前記基本画像に於ける画素のそれぞれ赤、緑、青の色値で、
Ｒｐ、Ｇｐ、Ｂｐは、前記変更された画像に於ける関連画素のそれぞれ赤、緑、青の色値で、
Ａｌｐｈａは前記製品適用範囲に於ける関連画素のアルファ値で、
ＵｐｐｅｒＬｉｍｉｔはアルファ値の予め定めた上限値である；
ことから更に成るクレーム２６から４０のいずれかに記載のシステム。